(57)【要約】【課題】一つの装置で手軽に複数の色での塗装が可能な、インクジェットカラースプレーを提供することを目的とする。【解決手段】インクを吐出する複数のインクノズルを備えたインク吐出ヘッドから成るインク吐出手段と、インク吐出手段に、イエロー、マゼンダ、シアン、ブラックの４色のインクを供給するための各色のインクタンクから成るインク供給手段と、インクの吐出制御を行う制御手段から成るインクジェットカラースプレーにおいて、インク吐出ベッドより吐出されるインクの各色の量を、使用者が調整可能とするインク吐出量調整手段を備えたことにより、一つの装置で手軽に複数の色での塗装が可能な、インクジェットカラースプレーを提供することができる。【選択図】　　　　図１
2004025101.tif 000002
【特許請求の範囲】
【請求項１】
インクを吐出する複数のインクノズルを備えたインク吐出ヘッドから成るインク吐出手段と、
前記インク吐出手段に、イエロー、マゼンダ、シアン、ブラックの４色のインクを供給するための各色独立のインクタンクから成るインク供給手段と、
インクの吐出制御を行う制御手段から成るインクジェットカラースプレーにおいて、
前記インク吐出ヘッドより吐出されるインクの量を、使用者がイエロー、マゼンダ、シアン、ブラックをそれぞれ独立で調整可能とするインク吐出量調整手段を備えたことを特徴とするインクジェットカラースプレー。
【請求項２】
インクを吐出する複数のインクノズルを備えたインク吐出ヘッドから成るインク吐出手段と、
イエロー、マゼンダ、シアン、ブラックの４色のインクを収納した各色独立のインクタンクから成るインク収納手段と、
前記インク収納手段より供給された前記インクを混合し、均一な色にして前記インク吐出手段に供給するインク混合手段と、
インクの吐出制御を行う制御手段から成るインクジェットカラースプレーにおいて、
前記混合手段に供給されるインクの量を、使用者がイエロー、マゼンダ、シアン、ブラックをそれぞれ独立で調整可能とする、インク供給量調整手段を備えたことを特徴とするインクジェットカラースプレー。
【請求項３】
インクを吐出する複数のインクノズルを備えたインク吐出ヘッドから成るインク吐出手段と、
前記インク吐出手段に、イエロー、マゼンダ、シアン、ブラックの４色のインクを供給するための各色独立のインクタンクから成るインク供給手段と、
インクの吐出制御を行う制御手段から成るインクジェットカラースプレーにおいて、
前記インク吐出ベッドより吐出されるインクの量を、カラーテーブルと該カラーテーブル近傍に設けられた調整レバーを、使用者が所望する色に合わせて操作することにより調整可能なインク吐出量調整手段を備えたことを特徴とするインクジェットカラースプレー。
【請求項４】
インクを吐出する複数のインクノズルを備えたインク吐出ヘッドから成るインク吐出手段と、
イエロー、マゼンダ、シアン、ブラックの４色のインクを収納した各色独立のインクタンクから成るインク収納手段と、
前記インク収納手段より供給された前記インクを混合し、均一な色にして前記インク吐出手段に供給するインク混合手段と、
インクの吐出制御を行う制御手段から成るインクジェットカラースプレーにおいて、前記混合手段に供給されるインクの量を、カラーテーブルと該カラーテーブル近傍に設けられた調整レバーを、使用者が所望する色に合わせて操作することにより調整可能なインク供給量調整手段を備えたことを特徴とするインクジェットカラースプレー。
【請求項５】
前記インク吐出ヘッドは、熱発泡によりインクを吐出するインクジェット方式、あるいは、圧電素子の伸縮によりインクを吐出するインクジェット方式であることを特徴とする請求項１から４に記載のインクジェットカラースプレー。
【発明の詳細な説明】
【０００１】
【発明の属する技術分野】
本発明は、所定の面を同一の色で塗装するカラースプレーに関する。
【０００２】
【従来の技術】
従来、所定の面を同一の色で塗装するカラースプレーには、あらかじめ所定の色の塗料と圧縮ガスが入ったスチール缶に噴射ノズルが取り付けらており、使用者は噴霧ボタンを押すだけで手軽に所望する色で塗装が行える缶タイブのカラースプレーがある。また、エアーブラシの様に、使用者が所望する色の塗料をカップに入れ替えることにより、複数の色での塗装を一つの装置で行うことの出来るカラースプレーもある。
【０００３】
【発明が解決しようとする課題】
しかしながら上記従来例において、缶タイブのカラースプレーでは、手軽に塗装が行える反面、複数の色を使用したい場合には、色ごとに製品を購入しなければならない。これに対しエアブラシは、複数の色での塗装を一つの装置で行うことが出来る反面、使用者は所望する色の塗料をその都度調合しカップに入れなければならず手間のかかる作業を必要とする。
【０００４】
本発明では、上記従来例における問題点を解決し、一つの装置で手軽に複数の色での塗装が可能なインクジェットカラースプレーを提供することを目的とする。
【０００５】
【課題を解決するための手段】
インクを吐出する複数のインクノズルを備えたインク吐出ヘッドから成るインク吐出手段と、インク吐出手段にイエロー、マゼンダ、シアン、ブラックの４色のインクを供給するための各色のインクタンクから成るインク供給手段と、インクの吐出制御を行う制御手段から成るインクジェットカラースプレーにおいて、インク吐出ヘッドより吐出されるインクの各色の量を、使用者が調整可能とするインク吐出量調整手段を備えたことにより、一つの装置で手軽に複数の色での塗装が可能なインクジェットカラースプレーを提供することができる。
【０００６】
（作用）
本発明によれば、インクを吐出する複数のインクノズルを備えたインク吐出ヘッドから成るインク吐出手段と、インク吐出手段にイエロー、マゼンダ、シアン、ブラックの４色のインクを供給するための各色独立のインクタンクから成るインク供給手段と、インクの吐出制御を行う制御手段をから成るインクジェットカラースプレーにおいて、インク吐出ヘッドより吐出されるインクの各色の量を、使用者が調整可能とするインク吐出量調整手段を備えたことにより、一つの装置で手軽に複数の色での塗装が可能なカラースプレーを提供することができる。
【０００７】
【発明の実施の形態】
（実施形態１）
以下に、図面に基づいて本発明を適用したインクジェットカラースプレーの第一実施形態について具体的に説明する。
【０００８】
図１は本発明を示すインクジェットカラースプレー全体の斜視図、図２は本発明を示すインクジェットカラースプレーの縦断面図、図３は本発明を示す制御ブロック図である。
【０００９】
図１、図２において、１はインクジェットカラースプレーである。
【００１０】
まず筐体２に取り付けられた色調整レバー３をイエロー（以下Ｙ）、マゼンダ（以下Ｍ）、シアン（以下Ｃ）、ブラック（以下Ｂｋ）それぞれについて設定する。例えば、緑色の塗装を行いたい時には図４に示すようにＹとＣの吐出をメインにする。
【００１１】
もちろん、各色の吐出量を調整することにより、濃い緑から薄い緑まで微調整が可能であることは言うまでもない。
【００１２】
次いで、筐体２に設けられたインク吐出スイッチ６を押すことにより、各色の色調整レバー３の位置に応じたアナログ値がＣＰＵ４を搭載した制御基盤５に送られ、各色の吐出量が決定される。この吐出量に応じて、筐体２の上部に設けられた各色専用のインク吐出ノズル列８を備えたインク吐出ヘッド７よりインクが吐出される。
【００１３】
インクの吐出量の制御方法については、吐出するインク滴の液滴の大きさを制御する、あるいは、インクを吐出する間隔（吐出周波数）を制御する方法のいずれでも良い。
【００１４】
また、インク吐出ヘッド７にインクを供給するインクタンク９は各色独立であり、筐体２の底部に設けられた開閉蓋１３より交換可能である。
【００１５】
上記操作により塗装が終了し、違う色の塗装を行う時には、色調整レバー３の設定を再度行い、インク吐出スイッチ６を押すことで、簡単に別の色での塗装を行うことが出来る。
【００１６】
（実施形態２）
以下に、図面に基づいて本発明を適用したインクジェットカラースプレーの第二実施形態について具体的に説明する。
【００１７】
図６は本発明を示すインクジェットカラースプレー全体の斜視図、図７は本発明を示すインクジェットカラースプレーの縦断面図、図８は本発明を示す制御ブロック図である。
【００１８】
図１、図２において、１はインクジェットカラースプレーである。
【００１９】
まず筐体２に取り付けられた色調整レバー３を用いて、イエロー（以下Ｙ）、マゼンダ（以下Ｍ）、シアン（以下Ｃ）、ブラック（以下Ｂｋ）それぞれの混合比を設定する。さらに、総量設定レバー１４を用いて、Ｙ、Ｍ、Ｃ、Ｂｋの合計量を設定する。
【００２０】
次いで、筐体２に設けられたインク吐出スイッチ６を押すことにより、各色の色調整レバー３の位置に応じたアナログ値と、総量設定レバー１４の位置に応じたアナログ値がＣＰＵ４を搭載し考制御基盤５に送られ、インク混合室１５へ供給される各色の供給量が決定される。この供給量に応じて、インクタンク９からインク混合室１５に供給された各色のインクは、不図示の攪拌手段によって均一に攪拌される。
【００２１】
そして、インク混合室１５で攪拌された塗料は、筐体２の上部に設けられた複数のインク吐出ノズル列８を備えたインク吐出ヘッド７より吐出される。
【００２２】
また、インク混合室１５にインクを供給するインクタンク９は各色独立であり、筐体２の底部に設けられた開閉蓋１３より交換可能である。
【００２３】
上記操作により塗装が終了し、違う色の塗装を行う時には、色調整レバー３及び総量設定レバー１４の設定をし直し、インク吐出スイッチ６を押すことで、簡単に別の色での塗装を行うことが出来る。
【００２４】
（実施形態３）
上記発明の第一実施形態及び第二実施形態において、図５に示すように、筐体２の外面にカラーテーブル１０を設け、上下方向の色調整レバー１１と左右方向の色調整レバー１２を、所望の色に合わせることで、より簡単に同様の効果が得られる。
【００２５】
【発明の効果】
以上説明したように、本発明によれば、インクを吐出する複数のインクノズルを備えたインク吐出ヘッドから成るインク吐出手段と、インク吐出手段にイエロー、マゼンダ、シアン、ブラックの４色のインクを供給するための各色のインクタンクから成るインク供給手段と、インクの吐出制御を行う制御手段から成るインクジェットカラースプレーにおいて、インク吐出ヘッドより吐出されるインクの各色の量を、使用者が調整可能とするインク吐出量調整手段を備えたことにより、一つの装置で手軽に複数の色での塗装が可能なインクジェットカラースプレーを提供することが可能となる。
【図面の簡単な説明】
【図１】本発明の第一実施形態を示すインクジェットカラースプレー全体の斜視図。
【図２】本発明の第一実施形態を示すインクジェットカラースプレーの縦断面図。
【図３】本発明の第一実施形態を示すインクジェットカラースプレーの制御ブロック図。
【図４】本発明の第一実施形態における色調整レバーの設定を示す図。
【図５】本発明の第三実施形態における色調整レバーの設定を示す図。
【図６】本発明の第二実施形態を示すインクジェットカラースプレー全体の斜視図。
【図７】本発明の第二実施形態を示すインクジェットカラースプレーの縦断面図。
【図８】本発明の第二実施形態を示すインクジェットカラースプレーの制御ブロック図。
【符号の説明】
１　インクジェットカラースプレー
２　筐体
３　色調整レバー
４　ＣＰＵ
５　制御基盤
６　インク吐出スイッチ
７　インク吐出ヘッド
８　インク吐出ノズル列
９　インクタンク
１０　カラーテーブル
１１　上下方向の色調整レバー
１２　左右方向の色調整レバー
１３　開閉蓋
１４　総量設定レバー
１５　インク混合室
【図１】
2004025101.tif 000003
【図２】
2004025101.tif 000004
【図３】
2004025101.tif 000005
【図４】
2004025101.tif 000006
【図５】
2004025101.tif 000007
【図６】
2004025101.tif 000008
【図７】
2004025101.tif 000009
【図８】
2004025101.tif 000010